(57)【要約】【課題】無線ＩＣタグを所持している利用者は、特別な入出場のための行動をとることなく通過することのできる入出場管理装置を提供する。【解決手段】利用者の出入りする所定の場所に設置された送受信部から送信された信号をその所定の場所に位置する利用者に照射して利用者の移動速度を検出する利用者位置検出手段と、前記所定の場所を通過する利用者の所持する無線ＩＣタグから送信される信号を受信する受信手段と、その受信手段で受信された信号中から利用者の所持する無線ＩＣタグに記憶されている所定のタグ情報を抽出するタグ情報抽出手段と、前記利用者位置検出手段で検出された利用者の位置が前記所定の場所における所定の基準位置に達したときに、前記タグ情報抽出手段で抽出された所定のタグ情報に基づいて所定の処理を行う処理手段とからなる。【選択図】図１
2007249763.tif 000002
【特許請求の範囲】
【請求項１】
利用者の出入りする所定の場所に設置された送受信部から送信された所定の信号をその所定の場所に位置する利用者に照射し、その照射された信号の反射波を受信して利用者の移動速度を検出する利用者位置検出手段と、
前記所定の場所を通過する利用者の所持する無線ＩＣタグから送信される信号を受信する受信手段と、
前記受信手段で受信された信号中から利用者の所持する無線ＩＣタグに記憶されている所定のタグ情報を抽出するタグ情報抽出手段と、
前記利用者位置検出手段で検出された利用者の位置が前記所定の場所における所定の基準位置に達したときに、前記タグ情報抽出手段で抽出された所定のタグ情報に基づいて所定の処理を行う処理手段と、
からなることを特徴とする入出場管理装置。
【請求項２】
請求項１に記載の入出場管理装置において、前記利用者位置検出手段は、前記所定の場所における所定の基準位置に利用者が位置したときに、その利用者はその所定の場所を通過したと判定するものであることを特徴とする入出場管理装置。
【請求項３】
請求項１又は２に記載の入出場管理装置において、前記利用者位置検出手段で検出される利用者位置情報は、前記タグ情報抽出手段で抽出される所定のタグ情報間に位置させることを特徴とする入出場管理装置。
【請求項４】
請求項１から３のいずれかに記載の入出場管理装置において、前記タグ情報抽出手段が所定のタグ情報を抽出することなく前記利用者位置検出手段が利用者を検出したときに、前記所定の場所に無線ＩＣタグを所持していない利用者が存在していることを報知する報知手段を設けたことを特徴とする入出場管理装置。
【請求項５】
請求項４に記載の入出場管理装置において、前記報知手段が前記所定の場所に無線ＩＣタグを所持していない利用者が存在していることを報知したときに、その利用者を撮像する撮像手段を設けたことを特徴とする入出場管理装置。
【請求項６】
請求項１から５のいずれかに記載の入出場管理装置において、前記利用者の出入りする所定の場所は、駅の改札口であることを特徴とする入出場管理装置。
【請求項７】
請求項６に記載の入出場管理装置において、前記利用者位置検出手段が駅の改札口を通過したと判定したときに、利用者の所持する無線ＩＣタグに所定の入出場情報を書き込む書込手段を有することを特徴とする入出場管理装置。
【請求項８】
請求項６又は７に記載の入出場管理装置において、前記駅の改札口には、利用者の所持する乗車券類を処理する自動改札機を備えた改札通路も併設されていることを特徴とする入出場管理装置。
【請求項９】
請求項１から５のいずれかに記載の入出場管理装置において、前記利用者の出入りする所定の場所は、所定の建物の出入口、所定の部屋の出入口あるいは所定の催し会場の出入口等の所定の出入口であることを特徴とする入出場管理装置。
【請求項１０】
請求項９に記載の入出場管理装置において、前記利用者位置検出手段が出入口を通過したと判定したときに、利用者の所持する無線ＩＣタグに所定の入出場情報を書き込む書込手段を有することを特徴とする入出場管理装置。
【請求項１１】
請求項１から１０のいずれかに記載の入出場管理装置において、前記利用者の所持する無線ＩＣタグは、専用の無線ＩＣタグ、又はその無線ＩＣタグの機能を組み込んだ携帯電話機やＰＤＡ等の利用者の所持する無線通信機能を備えた所定の情報端末機からなることを特徴とする入出場管理装置。
【発明の詳細な説明】
【技術分野】
【０００１】
本発明は、鉄道の駅の改札口や建物の出入口等の所定の出入口に設置される入出場管理装置に関する。
【背景技術】
【０００２】
近年、鉄道の駅に設置される自動改札機は、利用者（旅客）の利便向上を図るために非接触式の自動改札機が用いられるようになってきている。この非接触式の自動改札機は、その自動改札機の本体にアンテナを有するリーダライタを備えていて、そのアンテナに無線通信機能を有するＩＣカードからなる非接触カードがタッチ又はかざされると（以下、タッチで説明する。）、自動改札機の本体と非接触カードとの間でデータ授受が行われて入出場処理（入場処理又は出場処理を意味している。）が行われるようにしている（特許文献１参照）。
【特許文献１】特開２００５−３０１９４４号公報
【発明の開示】
【発明が解決しようとする課題】
【０００３】
上記従来の非接触式の自動改札機は、磁気券からなる乗車券類のように媒体を自動改札機の本体の投入口に投入する必要がないため、すなわち媒体が利用者の手から離れることがないので、利用者の利便向上が図られるという特長を有している。しかしながら、非接触式の自動改札機であっても非接触カードをアンテナにタッチする必要があるため、両手がふさがっているときは、磁気券の媒体のときと同様に手間を必要とする欠点があった。また、非接触式の自動改札機は、投入式の自動改札機に比べて媒体の投入・受け取りが無い分、処理効率が優れているが、利用者が非接触カードをアンテナにタッチするための時間だけ、処理効率が低下するという問題点を有していた。
【０００４】
そこで、本発明は、上記欠点を解決するためになされたもので、その目的は、利用者にアンテナにタッチする動作を要求することなく入出場処理することのできる入出場管理装置を提供することにある。
【課題を解決するための手段】
【０００５】
本発明に係る入出場管理装置は、上記目的を達成するために、請求項１に記載の発明は、利用者の出入りする所定の場所に設置された送受信部から送信された所定の信号をその所定の場所に位置する利用者に照射し、その照射された信号の反射波を受信して利用者の移動速度を検出する利用者位置検出手段と、前記所定の場所を通過する利用者の所持する無線ＩＣタグから送信される信号を受信する受信手段と、その受信手段で受信された信号中から利用者の所持する無線ＩＣタグに記憶されている所定のタグ情報を抽出するタグ情報抽出手段と、前記利用者位置検出手段で検出された利用者の位置が前記所定の場所における所定の基準位置に達したときに、前記タグ情報抽出手段で抽出された所定のタグ情報に基づいて所定の処理を行う処理手段とからなることを特徴としている。
本発明の請求項２に記載の入出場管理装置は、利用者位置検出手段が所定の場所における所定の基準位置に利用者が位置したときに、その利用者はその所定の場所を通過したと判定するものであることを特徴としている。
本発明の請求項３に記載の入出場管理装置は、利用者位置検出手段で検出される利用者位置情報がタグ情報抽出手段で抽出される所定のタグ情報間に位置していることを特徴としている。
本発明の請求項４に記載の入出場管理装置は、タグ情報抽出手段が所定のタグ情報を抽出することなく利用者位置検出手段が利用者を検出したときに、所定の場所に無線ＩＣタグを所持していない利用者が存在していることを報知する報知手段を設けたことを特徴としている。
本発明の請求項５に記載の入出場管理装置は、報知手段が所定の場所に無線ＩＣタグを所持していない利用者が存在していることを報知したときに、その利用者を撮像する撮像手段を設けたことを特徴としている。
本発明の請求項６に記載の入出場管理装置は、利用者の出入りする所定の場所が駅の改札口であることを特徴としている。
本発明の請求項７に記載の入出場管理装置は、利用者位置検出手段が駅の改札口を通過したと判定したときに、利用者の所持する無線ＩＣタグに所定の入出場情報を書き込む書込手段を有することを特徴としている。
本発明の請求項８に記載の入出場管理装置は、駅の改札口に利用者の所持する乗車券類を処理する自動改札機を備えた改札通路も併設されていることを特徴としている。
本発明の請求項９に記載の入出場管理装置は、利用者の出入りする所定の場所を所定の建物の出入口、所定の部屋の出入口あるいは所定の催し会場の出入口等の所定の出入口であることを特徴としている。
本発明の請求項１０に記載の入出場管理装置は、利用者位置検出手段が出入口を通過したと判定したときに、利用者の所持する無線ＩＣタグに所定の入出場情報を書き込む書込手段を有することを特徴としている。
請求項１１に記載の入出場管理装置は、利用者の所持する無線ＩＣタグを専用の無線ＩＣタグ、又はその無線ＩＣタグの機能を組み込んだ携帯電話機やＰＤＡ等の利用者の所持する無線通信機能を備えた所定の情報端末機としたことを特徴としている。
【発明の効果】
【０００６】
本発明の請求項１に記載の入出場管理装置は、利用者の出入りする所定の場所に設置された送受信部から送信された所定の信号をその所定の場所に位置する利用者に照射し、その照射された信号の反射波を受信して利用者の移動速度を検出する利用者位置検出手段と、前記所定の場所を通過する利用者の所持する無線ＩＣタグから送信される信号を受信する受信手段と、その受信手段で受信された信号中から利用者の所持する無線ＩＣタグに記憶されている所定のタグ情報を抽出するタグ情報抽出手段と、前記利用者位置検出手段で検出された利用者の位置が前記所定の場所における所定の基準位置に達したときに、前記タグ情報抽出手段で抽出された所定のタグ情報に基づいて所定の処理を行う処理手段とからなるので、利用者は、従来のように、入出場のための媒体を入出場管理装置の本体に投入したり、あるいは、タッチしたりせずに入出場することができ、利用者の利便向上をより高めることができる。
本発明の請求項２に記載の入出場管理装置は、利用者位置検出手段が所定の場所における所定の基準位置に利用者が位置したときに、その利用者はその所定の場所を通過したと判定するので、利用者の通過を容易に、かつ効率よく判定することができる。
本発明の請求項３に記載の入出場管理装置は、利用者位置検出手段で検出される利用者位置情報がタグ情報抽出手段で抽出される所定のタグ情報間に位置しているから、装置の簡易化及び小型化を容易に図ることができる。
本発明の請求項４に記載の入出場管理装置は、タグ情報抽出手段が所定のタグ情報を抽出することなく利用者位置検出手段が利用者を検出したときに、所定の場所に無線ＩＣタグを所持していない利用者が存在していることを報知する報知手段を設けているので、無線ＩＣタグを所持していないために通過の資格を有しない利用者の発生を効果的に報知することができる。
本発明の請求項５に記載の入出場管理装置は、報知手段が所定の場所に無線タグを所持していない利用者が存在していることを報知したときに、その利用者を撮像する撮像手段を設けているので、無線ＩＣタグを所持していないために通過の資格を有しない利用者を撮像して記録を残すことができる。
本発明の請求項６に記載の入出場管理装置は、利用者の出入りする所定の場所が駅の改札口であるので、駅の改札口の入出場処理がより円滑に行われ、改札口の混雑を未然に防止することができる。
本発明の請求項７に記載の入出場管理装置は、利用者位置検出手段が駅の改札口を通過したと判定したときに、利用者の所持する無線ＩＣタグに所定の入出場情報を書き込む書込手段を有しているので、無線ＩＣタグに所定の入出場情報を容易に、かつ効果的に書き込むことができる。
本発明の請求項８に記載の入出場管理装置は、駅の改札口に利用者の所持する乗車券類を処理する自動改札機を備えた改札通路も併設されているので、従来の磁気券や非接触カードも処理することができる。
本発明の請求項９に記載の入出場管理装置は、利用者の出入りする所定の場所を所定の建物の出入口、所定の部屋の出入口あるいは所定の催し会場の出入口等の所定の出入口であるので、各種出入口の入出場管理や入退室管理を効果的に行うことができる。
本発明の請求項１０に記載の入出場管理装置は、利用者位置検出手段が出入口を通過したと判定したときに、利用者の所持する無線ＩＣタグに所定の入出場情報を書き込む書込手段を有しているので、無線ＩＣタグに所定の入出場情報を容易に、かつ効果的に書き込むことができる。
本発明の請求項１１に記載の入出場管理装置は、利用者の所持する無線ＩＣタグを専用の無線ＩＣタグ、又はその無線ＩＣタグの機能を組み込んだ携帯電話機やＰＤＡ等の利用者の所持する無線通信機能を備えた所定の情報端末機としたので、各種情報端末機を利用して容易に実施することができる。
【発明を実施するための最良の形態】
【０００７】
本発明を実施するための最良の形態を図面に基づいて説明する。図１は、本発明の一実施の形態に係る入出場管理装置を鉄道の駅の改札口に適用したときの概略構成を示す正面図、図２はその平面図である。この駅の改札口には、係員（駅員）ａの常駐している係員コーナＡ側に、無線ＩＣタグTを所持する利用者（図１では、図面を簡略化するために一人の利用者イしか示されていない。）のための改札通路である無線タグ利用者用通路（以下、「無線タグ通路」という。）Ｐ0が設けられているとともに、その無線タグ通路Ｐ0と並設して複数（図示の例では４個）の改札機通路Ｐ1が設けられている。
【０００８】
この改札機通路Ｐ1，Ｐ1…は、従来の普通乗車券等の磁気券からなる媒体及び無線通信機能を備えたＩＣカードからなる非接触カードの媒体を処理するための自動改札機Ｇ用の改札通路である。なお、図示の例では、無線タグ通路Ｐ0は、係員コーナＡ側に設けられているが、この係員コーナＡと反対側（図２において右側）に設けられていてもよく、あるいは改札機通路Ｐ1，Ｐ1…間に設けられていてもよい。また、図示の例では、無線タグ通路Ｐ0と改札機通路Ｐ1とを並設したが、無線タグ通路Ｐ0のみの専用通路とすることもできる。しかし、無線ＩＣタグＴが採用されても、しばらくの間は、磁気券及び非接触カードも使用されるので、上述のように両通路Ｐ0，Ｐ1を並設すると改札効率を高めることができる。もちろん、媒体が無線ＩＣタグＴのみとなったときは、改札機通路Ｐ1は廃止される。
【０００９】
図２において、無線タグ通路Ｐ0は、その通過方向の左側と右側とで区分され、ここでは左側が出場用とされ、右側が入場用とされている。そしてこの無線タグ通路Ｐ0近辺の床面には、無線タグ通路Ｐ0が無線ＩＣタグＴを所持している利用者専用の改札通路である旨、及びその通過方向の矢印が表示されている（図２参照）。なお、図示の例では、一つの通路の左側を出場用、右側を入場用としているが、左側を入場用、右側を出場用としてもよい。また、入場用通路及び出場用通路との間に仕切壁を設けて入場専用路及び出場専用路に形成し、入場の利用者と出場の利用者とが交錯するのを防止するようにしてもよい。
【００１０】
図中、１は本発明の送受信部の一部をなすアンテナであって、無線タグ通路Ｐ0のほぼ中央の上方に位置する天井Ｒに設けられている。なお、天井Ｒが高すぎてアンテナ１、後述するビデオカメラ及び報知灯の取付けに不適なときは、これらを取付けるための適当な構造物が設けられる。
【００１１】
このアンテナ１の通信範囲（交信範囲）は、アンテナ１から３〜１０ｍ前後の範囲で、少なくとも無線タグ通路Ｐ0内及びその出入口近辺に位置する後述するＵＨＦ帯の電波を送信する無線ＩＣタグＴと交信できるように決められている。すなわち、このアンテナ1及び無線ＩＣタグＴ間の通信は、いわゆる微弱電波の範囲内で行われ、利用者が所持している医療用電子機器や情報端末機等の機器に影響を及ぼさない範囲で行われる。
【００１２】
図中、２ａ，２ｂは本発明の撮像手段をなすビデオカメラであって、無線タグ通路Ｐ0のホーム側及びコンコース側の天井Ｒにそれぞれ設けられている。これらビデオカメラ２ａ，２ｂのうち、ビデオカメラ２ａは、入場しようとする利用者（図１において、無線タグ通路Ｐ0を左側から右側方向へ移動する利用者）の正面を撮像できるようにセットされ、ビデオカメラ２ｂは、出場しようとする利用者（図１において、無線タグ通路Ｐ0を右側から左側方向へ移動する利用者）の正面を撮像できるようにセットされている。
【００１３】
図中、３ａ，３ｂは本発明の報知手段をなす赤色や黄色等の所定の着色灯で構成される報知灯であって、無線タグ通路Ｐ0のホーム側及びコンコース側の天井Ｒにそれぞれ設けられている。これら報知灯３ａ，３ｂのうち、報知灯３ａは、入場しようとする利用者（図１において、無線タグ通路Ｐ0を左側から右側方向へ移動する利用者）用であり、報知灯３ｂは、出場しようとする利用者（図１において、無線タグ通路Ｐ0を右側から左側方向へ移動する利用者）用である。
【００１４】
図中、５は制御器であって、ＲОＭ６に格納されているシステムプログラム及びＲＡＭ７に格納されているワーキングデータを用いて入出場のための所定の演算処理を行う中央処理部（ＣＰＵ）８を有している。このＣＰＵ８は、Ｉ／Оユニット９を介して無線ＩＣタグＴと通信（交信）を行うための送受信部１０と、ビデオカメラ２ａ，２ｂを駆動制御する撮像部１１と、報知灯３ａ，３ｂを駆動制御する報知部１２とが接続されている。
【００１５】
なお、Ｉ／Оユニット９には、図示しないが、通信制御部が設けられていて、この通信制御部を介して係員コーナＡに設置されている監視盤（図示せず）に接続されている。この監視盤は、周知の自動改札機システムと同様に、改札口に設置されている自動改札機Ｇ，Ｇ…とも接続されていて、これら自動改札機Ｇ，Ｇ…の上位機器にも相当している。
【００１６】
上記送受信部１０は、アンテナ１から無線タグ通路Ｐ0及びその近辺に位置する範囲（図２において、無線タグ通路Ｐ0及び「無線タグ利用者用通路」と記載されている範囲）に所定の信号を送信できるように構成されているとともに、その範囲内から送信されてくる所定の信号を受信できるように構成されている。すなわち、この送受信部１０は、上述の範囲内に位置する利用者に照射されて反射してきた反射波（後述するＤ2参照）と、利用者イの所持する無線ＩＣタグＴから送信されてきた後述する所定の信号（カードデータ，後述するＤ1参照）とを受信することができるように構成されている。また、無線ＩＣタグＴは、送受信部１０のアンテナ1から所定の信号を受信したときに起動して所定の信号をアンテナ1に向けて送信することができるように構成されている。
【００１７】
図４は、送受信部１０内の利用者イ側から送信されてくる信号を受信する受信部部分及びその利用者イの所持する無線ＩＣタグＴの電気的構成を示すブロック図である。先ず、送受信部１０の方から説明すると、アンテナ１には、図４に模式的に示される利用者イ及び無線ＩＣタグＴ側からの信号（電波）が受信されるように構成されている。このアンテナ１の受信する信号中には、後述するカードデータ等の所定の情報を含むデータ信号Ｄ1と、制御器５においてドップラ効果を利用して利用者イの移動速度を検出するための所定の検出信号Ｄ2とが含まれている。これら信号Ｄ1，Ｄ2は、時系列的に交互に配置されている。すなわち、無線ＩＣタグＴからアンテナ１に向けて送信される信号は、同一のデータ信号Ｄ1が所定の間隔を保って繰り返し送信され、その間に利用者イの移動速度を検出するための検出信号Ｄ2が配置される形に形成されている。
【００１８】
図４中、２０は、アンテナ１の受信した信号中からデータ信号Ｄ1のみを通過させるフィルタ回路であり、このフィルタ回路２０からの出力信号は、増幅回路２１で増幅処理されたのち、ＣＰＵを中心に形成されたデータ処理部２２に入力され、ここでデータ内容が解析されるように構成されている。
【００１９】
図４中、２３は、アンテナ１の受信した信号中から検出信号Ｄ2のみを通過させるフィルタ回路であり、このフィルタ回路２３からの出力信号は、ＣＰＵを中心に形成されたドップラ処理部２５に入力され、検出信号Ｄ2の受信タイミングに基づいてドップラ効果を利用して利用者の移動速度及びその利用者位置を検出できるように構成されている。
【００２０】
次に、無線ＩＣタグＴについて説明する。この無線ＩＣタグＴには、アンテナ１からの信号（電波）を受信するとともに、そのアンテナ１に対して上述したデータ信号Ｄ1を含む信号（電波）を送信するアンテナ３０を有する通信制御部３１が設けられている。
【００２１】
このアンテナ３０から送信される電波は、ＵＨＦ帯のいわゆる微弱電波が用いられる。つまり、アンテナ１，３０間の電波は、利用者の所持する医療用電子機器や情報端末機器等の機器に影響を及ぼさない範囲のものが使用される。
【００２２】
図４中、３２は、無線ＩＣタグＴを統括的に駆動制御するＣＰＵであり、メモリ３３に格納されているシステムプログラムを用いて所定の演算処理ができるように構成されている。
【００２３】
メモリ３３には、上述したシステムプログラムの他に、図４に示されるように、無線ＩＣタグＴの識別情報（カードＩＤ）、その無線ＩＣタグＴの利用者を特定するための所定の情報（所持者データ）、及び定期券データやＳＦデータ（ストアードフェアデータ）等の情報、いわゆるカードデータが含まれている。カードＩＤ及び所持者データのいずれも無線ＩＣタグＴの利用者を特定できる性質を有しているが、処理データ量が少なければデータ処理部２２の処理負荷を小さくでき、かつ処理速度を高めることができるので、ここでは、カードＩＤが利用者を特定する情報として送受信部１０側に送信されるように構成されている。もちろん、カードＩＤとともに、又はカードＩＤに代えて所持者データを送受信部１０側に送信することもできる。以下、カードデータには、カードＩＤを含めて説明する。
【００２４】
上記メモリ３３には、周知の非接触カードのメモリに記憶されていると同様の定期券データ、ＳＦデータ又はこれら両データからなるカードデータが含まれている。さらに、図示しないが、メモリ３３には、入出場駅や入出場日時等の所定のデータを記憶する記憶部が設けられている。
【００２５】
図４中、３４は電池であり、無線ＩＣタグＴの駆動電源として用いられる。この無線ＩＣタグＴが改札口の入出場用専用の媒体（この専用の媒体のときは、通常、無線ＩＣタグＴの本体形状はカード状に形成される。）でなく、携帯電話機（ＰＨＳを含む）やＰＤＡときは、その情報端末機の駆動電源の電池と兼用される。なお、図４に示される無線ＩＣタグＴには、電池３４の電源をＯＮ・ＯＦＦするスイッチや、メモリ３３のカードデータを確認するための表示画面等も設けられているが、ここでは省略されている。これらスイッチや表示画面等も、無線ＩＣタグＴが情報端末機に組込まれているときはその情報端末機と兼用される。また、図示の例では、無線ＩＣタグＴの駆動電源として電池３４を内蔵している例を示したが、アンテナ１から受信した信号（電波）を処理して駆動電源とする無電源型とすることもできる。
【００２６】
以下、図５のフローチャートを用いて入出場制御動作について説明する。今、無線ＩＣタグＴを所持している利用者イが無線タグ通路Ｐ0に近づきアンテナ１の通信範囲内に入ってきたとする。無線ＩＣタグＴがアンテナ１の通信範囲（交信範囲）に入ると、無線ＩＣタグＴと制御器５との間で通信（交信）が開始されるとともに、利用者イがアンテナ１側に接近してきていることがドップラ効果により検知される（ステップ１００肯定。以下、ステップを「Ｓ」とする。）。
【００２７】
無線ＩＣタグＴと制御器５との通信が開始されると、カードデータからなるデータ信号Ｄ1と利用者イを検知する検出信号Ｄ2とが制御器５に取込まれ、先ず、ＣＰＵ８においてデータ信号Ｄ1の有効性が判定される。このデータ信号Ｄ1が無効の場合、つまり無線ＩＣタグＴの定期券の有効期限が切れていたり、あるいはＳＦデータの残額が不足しているようなときは、入出場を許可できないので（Ｓ１０２、Ｓ１０４否定）、報知灯３ｂ（利用者イが入場の場合は報知灯３ａ）が点灯して、利用者イに対して無効である旨が報知されるとともに、係員ａに対して無効券者の存在が報知される。また、その無効券者（利用者イ）がビデオカメラ２ｂ（利用者イが入場の場合はビデオカメラ２ａ）で撮像されて記録される（Ｓ１０５）。さらに、この無効券者（後述する無札者も同じ）発生の旨は、係員コーナＡ内の監視盤にも報知される。利用者イは、報知灯３ｂが点灯して無効券者であると報知されるので、その利用者は、精算処理等の所定の処理を行うことができる。
【００２８】
また、利用者イが無線ＩＣタグＴを所持していない、いわゆる無札者であったり、無線ＩＣタグＴを所持していても無線ＩＣタグＴのスイッチがＯＦＦとなっているとき、その利用者イは、無札者の発生が報知灯３ａ（又は３ｂ）で報知され、さらにビデオカメラ２ａ（又は２ｂ）で撮像されて記録される（Ｓ１００否定、Ｓ１０３肯定）。
【００２９】
カードデータが有効なとき、すなわち無線ＩＣタグＴが有効なときは（Ｓ１０４肯定）、受信された検出信号Ｄ2を用いた利用者イの接近位置が本発明の所定の基準位置に相当するアンテナ１の真下となったときに、その無線ＩＣタグＴの利用者は無線タグ通路Ｐ0を通過したと判定して、その無線ＩＣタグＴに対する所定の入出場データの書込処理が行われる（Ｓ１０６否定、Ｓ１０８）。すなわち、制御器５では、アンテナ１の真下に無線ＩＣタグＴが来たときに、無線ＩＣタグＴの利用者イは入出場（図示の場合は出場）したと判定して所定の入出場データ（図示の場合は出場データ）の書込処理が行われる。この入出場データの書込処理は、周知の非接触カードに対する入出場データの書込処理と同様に行われる。つまり、アンテナ１を介してメモリ３３に書き込むための入出場駅データ、入出場日時データ、新残額データ等の所定の新たなデータが制御器５側から無線ＩＣタグＴに送信され、その送信されたデータがメモリ３３の所定の記憶部に書き込まれる。
【００３０】
なお、上述の例では、利用者の通過判定は、無線タグ通路Ｐ0のほぼ中央上部に設けられているアンテナ１の真下を利用者が通過したことを検知して行ったが、アンテナ１を無線タグ通路Ｐ0のホーム側又はコンコース側の天井Rに設けた場合は、利用者イが無線タグ通路Ｐ0の所定の基準位置（例えば、無線タグ通路Ｐ0の中央位置）を通過したときに、利用者イは入出場したと判定される。また、アンテナを入場用及び出場用の２本とし、例えば、入場用のアンテナを報知灯３ａの近くに設けるとともに、出場用のアンテナを報知灯３ｂの近くに設け、接近してくる利用者が所定の基準位置（例えば、無線タグ通路Ｐ0の中央位置）を通過したときに、利用者が入出場したと判定することもできる。
【００３１】
また、上述の例では、利用者の移動速度及びその位置の検出は、データ信号Ｄ1間に位置する検出信号を用いたが、電波の代わりに超音波等の反射波を利用者に照射し、その反射波を検出して利用者の移動方向及びその位置を検出する反射方式のものであってもよい。しかし、上述のように、データ信号Ｄ1間に検出信号Ｄ2を配置したときは、装置の小型化等を図ることができる。
【００３２】
また、上述の例では、利用者の出入りする場所は、駅の改札口としたが、ビル等の建物の出入口、ビル内の室の出入口等の人の入退室を管理する必要のある場所であってもよく、あるいは、有料遊園地等の所定の催し物会場の出入口であってもよい。
【００３３】
なお、本発明で無線ＩＣタグというときは、その形態はカード単体であってもよく、あるいは、上述したように、携帯電話機等の利用者の所持する携帯型情報端末機に組込まれるものであってもよい。
【図面の簡単な説明】
【００３４】
【図１】本発明の入出場管理装置を駅の改札口に適用したときの概略構成を示す正面図である。
【図２】図１の平面図である。
【図３】制御器のブロック図である。
【図４】送受信部内の受信部部分及び無線タグのブロック図である。
【図５】制御動作を示すフローチャートである。
【符号の説明】
【００３５】
Ｐ0  無線タグ利用者用通路（無線タグ通路）
Ｐ1  改札機通路
Ａ  係員コーナ
ａ  係員
Ｇ  自動改札機
１  アンテナ
２ａ，２ｂ  ビデオカメラ
３ａ，３ｂ  報知灯
５  制御器
１０  送受信部
２２  データ処理部
２５  ドップラ処理部
Ｔ  無線ＩＣタグ
【図１】
2007249763.tif 000003
【図２】
2007249763.tif 000004
【図３】
2007249763.tif 000005
【図４】
2007249763.tif 000006
【図５】
2007249763.tif 000007